(57)【要約】【課題】オンラインストレージ管理方法を提供する。【解決手段】このオンラインストレージ管理方法は、クライアント側ユニットを使用してインターネットを通して複数のサーバーマシンのディスクスペースを登録するステップ、ユーザーがファイルデータを保存するとき、該クライアント側ユニットが自動的に該ファイルデータを分配しこれらディスクスペースのうちの一つに保存するステップ、以上のステップを包含する。【選択図】図１
2015022762.tif 000002
【特許請求の範囲】
【請求項１】
オンラインストレージ管理方法において、
クライアント側ユニットを使用してインターネットを通して複数のサーバーマシンのディスクスペースを登録するステップ、
ユーザーがファイルデータを保存するとき、該クライアント側ユニットが自動的に該ファイルデータを分配しこれらディスクスペースのうちの一つに保存するステップ、
以上のステップを包含することを特徴とする、オンラインストレージ管理方法。
【請求項２】
請求項１記載のオンラインストレージ管理方法において、前記クライアント側ユニットを使用してインターネットを通して複数のサーバーマシンのディスクスペースを登録するステップ中、該クライアント側ユニットは、これらディスクスペースの複数のアカウントナンバーデータと複数の容量データを登録することを特徴とする、オンラインストレージ管理方法。
【請求項３】
請求項１記載のオンラインストレージ管理方法において、前記クライアント側ユニットを使用してインターネットを通して複数のサーバーマシンのディスクスペースを登録するステップ中に、これらディスクスペースに基づきスペース対応データを構築するステップをさらに包含することを特徴とする、オンラインストレージ管理方法。
【請求項４】
請求項３記載のオンラインストレージ管理方法において、前述のこれらディスクスペースに基づきスペース対応データを構築するステップ中、該クライアント側ユニットはさらに、該スペース対応データに基づきこれらディスクスペースを直列に接続することを特徴とする、オンラインストレージ管理方法。
【請求項５】
請求項３記載のオンラインストレージ管理方法において、前述の該クライアント側ユニットが自動的に該ファイルデータを分配しこれらディスクスペースのうちの一つに保存するステップ中、該クライアント側ユニットは該スペース対応データに基づき、個人データをこれらディスクスペースに分配することを特徴とする、オンラインストレージ管理方法。
【請求項６】
請求項１記載のオンラインストレージ管理方法において、前述のクライアント側ユニットを使用してインターネットを通して複数のサーバーマシンのディスクスペースを登録するステップ中に、さらに、
同期データフォルダを該クライアント側ユニットに構築するステップ、を包含することを特徴とする、オンラインストレージ管理方法。
【請求項７】
請求項６記載のオンラインストレージ管理方法において、クライアント側ユニットを利用して少なくとも一つの個人データにアクセスするとき、該クライアント側ユニットは該個人データを該同期データフォルダに保存し、該同期データフォルダをこれらディスクスペースに同期させることを特徴とする、オンラインストレージ管理方法。
【請求項８】
請求項１記載のオンラインストレージ管理方法において、クライアント側ユニットを利用して該スペース対応データに基づき少なくとも一つの個人データにアクセスするとき、該サーバーはさらにこれらディスクスペースの容量の大きさにより順番に該データにアクセスすることを特徴とする、オンラインストレージ管理方法。
【請求項９】
請求項１記載のオンラインストレージ管理方法において、該ファイルデータはマルチメディアデータ、文書データ或いは図表データとされることを特徴とする、オンラインストレージ管理方法。
【発明の詳細な説明】
【技術分野】
【０００１】
本発明は一種のクラウド管理方法に係り、特に一種のオンラインストレージ管理方法に関する。
【背景技術】
【０００２】
デジタル時代の降臨により、人類のデジタル製品の間の相互作用はますます頻繁となっているが、現在のデジタル製品の操作インタフェースは次第にユーザーの要求を満足させられなくなっている。現在、人類の日常生活中、最も広く使用されているアプリケーション方法はネットワークであり、たとえば、デジタル製品中にネットワーク装置を加えることで、大衆は、ネットワークを介してデジタル製品を操作制御でき、該デジタル製品を操作上、より便利とし、並びに大幅にデジタル製品の付加価値をアップしている。
【０００３】
現在、消費型ネットワーク商品はモバイル化管理、リモートコントロール及びリモートデータアクセス等のリモート処理方式に偏っている状況にあって、クラウド作業方式はモバイルネットワークの勃興発展に伴い発展してきており、且つモバイルネットワークと一般のイーサネット（登録商標）は、要求の違いに対応し相補し、ネットワークを流行させ、大衆はどこにいてもネットに接続でき、且つ各種のネット接続メカニズムより選択でき、たとえば、３Ｇネットワーク、Ｗｉ−Ｆｉネットワーク、ハニカム式ネットワーク、ブルートゥースネットワーク等、近距離或いは遠距離のネット接続メカニズムがあり、これにともない、データアクセスも、従来のポータブルディスクを携行してデータアクセスするのではなく、ネットワーク上のオンラインストレージを利用してアクセスできるようになっている。
【０００４】
オンラインストレージは、ファイル・ホスティングとも称され、インターネット上には、多くのオンラインストレージのプロバイダーがあり、台湾国内では、中華電信、智邦等のプロバイダーがあり、国外ではＦｒｅａｋｓｈａｒｅ、Ｍｅｇａ−ｕｐｌｏａｄ等のプロバイダーがあり、無料ネットワークスペースは異なる価値のビジネスチャンスを牽引し、各ネットワーク会社或いはＳＮＳもまた、続いて無料ネットワークスペースの拡大ビジネスチャンスに参入し、たとえば、グーグル社のＧｏｏｇｌｅ  ｄｒｉｖｅ（登録商標）、マイクロソフト社のＳｋｙｄｒｉｖｅ（登録商標）、Ｄｒｏｐｂｏｘ（登録商標）等の無料ネットワークスペースがあり、大衆は多種類の無料ネットワークスペースを有し、オンラインストレージとして使用できる。
【０００５】
しかし、有料或いは無料のオンラインストレージのいずれであっても、ユーザーは先にアカウントナンバーとパスワードでログインしなければ、使用できない。且つ個別に各オンラインストレージの入口ウェブページにログインするか、或いは個別に対応するアプリケーションプログラムをダウンロードして個人データにアクセスする必要がある。さらに、もし、個人データが非常に多く、単一のサーバーマシンのディスクスペースより大きい場合は、ユーザーはデータを各ディスクスペースに分配しなければならず、往々にして、さらに各オンラインストレージの容量を覚えておいて、データ容量がディスクスペースの容量を超過しないようにしなければならない。これはユーザーにとって、非常に不便である。
【０００６】
上述の問題を鑑み、本発明は、一種のオンラインストレージ管理方法を提供し、それは、ディスクスペースを整合させ、且つデータアクセスに対して、有効にディスクスペースを分配し、ディスクスペースの容量が不足しているか否かの問題に煩わされることがないようにする。
【発明の概要】
【発明が解決しようとする課題】
【０００７】
本発明の主要な目的は、一種のオンラインストレージ管理方法を提供することにあり、それは、ディスクスペースを整合させることで、ディスクスペースの容量不足の問題を防止できる方法とする。
【課題を解決するための手段】
【０００８】
上述の目的を達成するため、本発明は一種のオンラインストレージ管理方法を提供し、それはまず、クライアント側ユニットが複数のディスクスペースを登録し、これによりクライアント側ユニットがこれらディスクスペースを整合し、並びにこれにより大衆が該クライアント側ユニットを使用して個人データにアクセスするとき、該クライアント側ユニットがこれらディスクスペースの余剰スペースに基づき個人データを分配し、それにより、ユーザーが個人データにアクセスするのに逐一ディスクスペースの容量を確認する必要をなくす。
【発明の効果】
【０００９】
本発明は、一種のオンラインストレージ管理方法を提供し、それは、ディスクスペースを整合させることで、ディスクスペースの容量不足の問題を防止できる。
【図面の簡単な説明】
【００１０】
【図１】本発明の好ましい実施例のブロック図である。
【図２】本発明の好ましい実施例のフローチャートである。
【図３】本発明の別の好ましい実施例のフローチャートである。
【図４】本発明の別の好ましい実施例のスペースとデータの対応構築の表示図である。
【図５】本発明のまた別の好ましい実施例のフローチャートである。
【図６】本発明のさらにまた別の好ましい実施例のフローチャートである。
【発明を実施するための形態】
【００１１】
以下に本発明の技術内容、構造特徴、達成する目的及び作用効果について、以下に例を挙げ並びに図面を組み合わせて詳細に説明する。
【００１２】
本発明は一種のオンラインストレージ管理方法を提供し、それは、ユーザーが逐一ディスクスペースの容量を確認しなくても、クライアント側ユニットが直接複数のディスクスペースを整合させ、ユーザーが個人データに便利にアクセスできるようにする。以下に、本発明のオンラインストレージ管理方法の詳細な説明を行なう。
【００１３】
図１を参照されたい。それは本発明の実施例のブロック図である。図示されるように、本発明のオンラインストレージ管理方法のシステム構造は、複数のディスクスペースを整合させて、ユーザーが便利にディスクスペースの個人データにアクセスできるようにする。本発明の採用するシステム構造は、モバイル装置１０、第１サーバー２２、第２サーバー２４、第３サーバー２６、インターネット３０、第１ディスクスペース３２、第２ディスクスペース３４、及び第３ディスクスペース３６を包含する。モバイル装置１０にはクライアント側ユニット１２とストレージユニット１４が設けられている。
【００１４】
本発明はクライアント側ユニット１２を利用し、複数のディスクスペースを登録し、ディスクスペースを整合させ、これにより、本実施例のクライアント側ユニット１２は、モバイル装置１０上で実行され、インターネット３０と接続され、これにより、第１ディスクスペース３２、第２ディスクスペース３４、及び第３ディスクスペース３６の入口ウェブページに接続され、すなわち、第１サーバー２２、第２サーバー２４、第３サーバー２６が所在のネットワークロケーションに接続され、第１ディスクスペース３２、第２ディスクスペース３４、及び第３ディスクスペース３６をクライアント側ユニット１２に登録し、第１ディスクスペース３２、第２ディスクスペース３４、及び第３ディスクスペース３６の登録データは、いずれもストレージユニット１４に保存され、これにより、クライアント側ユニット１２により、第１ディスクスペース３２、第２ディスクスペース３４、及び第３ディスクスペース３６を整合する。クライアント側ユニット１２は第１ディスクスペース３２、第２ディスクスペース３４、及び第３ディスクスペース３６に対して、スペース対応データを構築し、並びにクライアント側ユニット１２を利用して該スペース対応データをストレージユニット１４中に保存する。
【００１５】
図２を参照されたい。それは本発明のある実施例のフローチャートである。図示されるように、本発明のオンラインストレージ管理方法はユーザーが、インターネット上のディスクスペースの個人データにアクセスするときに、いちいちディスクスペースの容量を比較しなくても、直接クライアント側ユニットによりユーザーの全てのディスクスペースが分配される。本発明の方法の詳細なフローは以下に説明されるとおりである。
【００１６】
ステップＳ１００：クライアント側ユニットを利用してディスクスペースを登録する。
【００１７】
ステップＳ１２０：個人データにアクセスする。
【００１８】
いかにディスクスペースを整合並びに管理するかについて、以下に詳細に説明する。
【００１９】
ステップＳ１００において、ユーザーはその所有するディスクスペースをクライアント側ユニット１２に登録し、本実施例では、第１ディスクスペース３２、第２ディスクスペース３４、及び第３ディスクスペース３６が複数のディスクスペースの例とされているが、ディスクスペースは三つに限られるわけではなく、二つのディスクスペース或いはより多くのディスクスペースとされ得る。クライアント側ユニット１２は、第１ディスクスペース３２、第２ディスクスペース３４、及び第３ディスクスペース３６の登録データを整合し、そのうち、第１ディスクスペース３２、第２ディスクスペース３４、及び第３ディスクスペース３６の登録データは、アカウントナンバー、パスワード及び容量データを包含する。
【００２０】
ステップＳ１２０において、モバイル装置１０はクライアント側ユニット１２を介して個人データにアクセスするとき、クライアント側ユニット１２はこれらディスクスペースに基づき、個人データをこれらディスクスペースの使用スペースに分配し、これにより、ユーザーはデータにアクセスするときに、逐一各ディスクスペースの容量を確認する必要がなく、ユーザーは本発明の方法を利用して、簡単に便利に個人データにアクセスでき、どのディスクスペースが容量不足の問題を有しているかを確認する必要がなく、そのうち、個人データはマルチメディアデータ、文書処理データ、或いは図表データとされる。
【００２１】
このほか、本発明はクライアント側ユニットを利用してこれらディスクスペースにより、スペース対応データを構築し、これらディスクスペースを整合して同一のハードディスクにあるように操作できるようにし、以下に詳しく説明する。
【００２２】
図３を参照されたい。それは本発明の別の実施例のフローチャートである。図示されるように、本発明のオンラインストレージ管理方法は、ユーザーが、インターネット上のディスクスペースの個人データにアクセスするときに、いちいちディスクスペースの容量を比較しなくとも、クライアント側ユニットがユーザーの全てのディスクスペースを分配する。本発明の方法の詳細なフローは以下のとおりである。
【００２３】
ステップＳ１００：クライアント側ユニットを利用してディスクスペースを登録する。
【００２４】
ステップＳ１１０：スペース対応データの構築。
【００２５】
ステップＳ１２０：個人データにアクセス。
【００２６】
いかにディスクスペースを整合させ並びに管理するかについて、以下に詳細に説明する。
【００２７】
ステップＳ１００と前述の実施例は同じであるため、重複した説明は行なわない。ステップＳ１１０において、図４に示されるように、クライアント側ユニット１２はすでに登録された第１ディスクスペース３２、第２ディスクスペース３４、及び第３ディスクスペース３６に対して、スペース対応データｍａｐを構築し、クライアント側ユニット１２にディスクスペースを整合させた後、第１ディスクスペース３２、第２ディスクスペース３４、及び第３ディスクスペース３６を直列接続して同一の独立ハードディスクのようにし、データ保存に用いる。
【００２８】
ステップＳ１２０において、モバイル装置１０がクライアント側ユニット１２を介し個人データにアクセスするとき、クライアント側ユニット１２はスペース対応データｍａｐに基づき、これらディスクスペースの少なくとも一つの個人データにアクセスし、同時にクライアント側ユニット１２はスペース対応データｍａｐに基づき、該個人データをこれらディスクスペースの使用空間に分配し、これにより、ユーザーはデータにアクセスするときに、逐一各ディスクスペースの容量を確認せずにすみ、ユーザーは本発明の方法を利用して個人データにアクセスすることで、簡単便利に個人データにアクセスでき、それぞれのディスクスペースが容量不足であるかどうかを確認しなければならないという問題がない。
【００２９】
本発明は上述の実施例が提供するアップロード性質のデータアクセスサービスを提供するほか、同期アクセスサービスにも応用可能であり、詳細は以下のとおりである。
【００３０】
図５を参照されたい。それは本発明の別の実施例のフローチャートである。そのうち、図３と図５の異なるところは、図５ではさらに、同期データフォルダをモバイル装置１０上に構築するステップを包含することであり、これにより、ユーザーはクライアント側ユニット１２の同期アクセスにより、個人データをストレージユニット１４に保存し、同時にモバイル装置１０がアクセスした個人データをこれらディスクスペースに同期させられる。すなわち、モバイル装置１０上でアクセスする同期データフォルダの個人データは、これらディスクスペース中に同期して伝送されることでアクセスできる。本発明の方法のステップはさらに以下を包含し得る。
【００３１】
ステップＳ２００：ディスクスペースをクライアント側ユニットに登録。
【００３２】
ステップＳ２０５：同期データフォルダを構築。
【００３３】
ステップＳ２１０：スペース対応データを構築。
【００３４】
ステップＳ２２０：個人データに同期アクセスする。
【００３５】
ステップＳ２００とステップＳ２１０は、その動作方式は上述のステップＳ１００とステップＳ１１０に同じであるため、重複した説明は行なわない。ステップＳ２０５において、クライアント側ユニットは同期データフォルダをストレージユニット１４中に構築し、これにより、ステップＳ２２０において、クライアント側ユニット１２は、同期データフォルダ中でアクセスするデータをディスクスペースに同期させ、すなわち、同期データフォルダ中のデータをディスクスペースに更新し、ディスクスペース中のデータを同じ更新状態となす。
【００３６】
このほか、同期データフォルダの構築のステップは、さらにスペース対応データの構築のステップの後に実行されてもよく、これにより、図６に示されるように、本発明の方法のステップは、さらに以下を包含し得る。
【００３７】
ステップＳ３００：ディスクスペースをクライアント側ユニットに登録する。
【００３８】
ステップＳ３１０：スペース対応データを構築する。
【００３９】
ステップＳ３１５：同期データフォルダを構築する。
【００４０】
ステップＳ３２０：個人データに同期してアクセスする。
【００４１】
図５と図６の違いは僅かにスペース対応データ構築のステップと同期データフォルダ構築のステップの実施順序であるため、本実施例についてはこれ以上説明を行なわない。
【００４２】
総合すると、本発明のオンラインストレージ管理方法は、クライアント側ユニットによりインターネット上のディスクスペースを整合し、並びに対応するスペース対応データを構築し、ユーザーがディスクスペースで個人データのアクセスを行なうとき、直接クライアント側ユニットによりスペース対応データに基づき個人スペースのストレージスペースを分配し、ユーザーがディスクスペースの容量を逐一確認しなくてもよく、個人データのアクセスに便利である。
【００４３】
以上は本発明の好ましい実施例の説明に過ぎず、並びに本発明を限定するものではなく、本発明に提示の精神より逸脱せずに完成されるその他の同等の効果の修飾或いは置換は、いずれも本発明の権利請求範囲内に属する。
【００４４】
本発明は新規性、進歩性及び産業上の利用価値を有しており、特許の要件を具えている。
【符号の説明】
【００４５】
１０  モバイル装置
１２  クライアント側ユニット
１４  ストレージユニット
２２  第１サーバー
２４  第２サーバー
２６  第３サーバー
３０  インターネット
３２  第１ディスクスペース
３４  第２ディスクスペース
３６  第３ディスクスペース
【図１】
2015022762.tif 000003
【図２】
2015022762.tif 000004
【図３】
2015022762.tif 000005
【図４】
2015022762.tif 000006
【図５】
2015022762.tif 000007
【図６】
2015022762.tif 000008